(57)【要約】【課題】覚醒誘導効果の低下を抑制できる。【解決手段】ユーザＵの眠気度合いを示す眠気レベルを検出する眠気検出部１１０と、眠気検出部１１０が検出した眠気レベルが所定の基準を満たす場合に、ユーザＵの覚醒を誘導する覚醒誘導部３００を駆動させ、駆動させてから所定時間が経過したときに覚醒誘導部３００を停止させる制御部１２０と、を備える。【選択図】図２
2020115902.tif 000002
【特許請求の範囲】
【請求項１】
人の眠気度合いを示す眠気レベルを検出する眠気検出部と、
前記眠気検出部が検出した前記眠気レベルが所定の基準を満たす場合に、前記人の覚醒を誘導する覚醒誘導部を駆動させ、駆動させてから所定時間が経過したときに前記覚醒誘導部を停止させる制御部と、を備える
覚醒誘導制御装置。
【請求項２】
さらに、前記覚醒誘導部の駆動情報を出力する出力部を備える
請求項１に記載の覚醒誘導制御装置。
【請求項３】
前記駆動情報は、前記制御部が前記覚醒誘導部を停止させるまでの時間を示す時間情報を含む
請求項２に記載の覚醒誘導制御装置。
【請求項４】
前記駆動情報は、前記制御部が前記覚醒誘導部を停止させた場合に、前記覚醒誘導部を停止させたことを示す停止情報を含む
請求項２又は３に記載の覚醒誘導制御装置。
【請求項５】
前記制御部は、現在時刻に応じて、前記所定時間を変更する
請求項１〜４のいずれか１項に記載の覚醒誘導制御装置。
【請求項６】
前記制御部は、前記覚醒誘導部を駆動させた回数に応じて、前記所定時間を変更する
請求項１〜５のいずれか１項に記載の覚醒誘導制御装置。
【請求項７】
前記覚醒誘導制御装置は、車両に設置され、
前記制御部は、前記車両を運転する人の連続運転時間に応じて、前記所定時間を変更する
請求項１〜６のいずれか１項に記載の覚醒誘導制御装置。
【請求項８】
前記制御部は、前記車両を運転する人の１日当たりの総運転時間に応じて、前記所定時間を変更する
請求項７に記載の覚醒誘導制御装置。
【請求項９】
前記覚醒誘導制御装置は、前記人の覚醒を誘導する覚醒誘導方法の異なる複数の前記覚醒誘導部と接続されており、
前記制御部は、前記複数の覚醒誘導部を駆動してから、前記複数の覚醒誘導部のそれぞれごとに設定された異なる前記所定時間が経過したときに、前記複数の覚醒誘導部のそれぞれごとに停止させる
請求項１〜８のいずれか１項に記載の覚醒誘導制御装置。
【請求項１０】
前記制御部は、
前記複数の覚醒誘導部の内の１以上の覚醒誘導部を駆動させ、前記複数の覚醒誘導部のそれぞれごとに設定された異なる前記所定時間が経過したときに、前記１以上の覚醒誘導部を、前記覚醒誘導部のそれぞれごとに停止させ、
さらに、停止させた前記１以上の覚醒誘導部とは異なる前記覚醒誘導部の内の１以上の覚醒誘導部を駆動させる
請求項９に記載の覚醒誘導制御装置。
【請求項１１】
前記制御部は、前記複数の覚醒誘導部の中の１以上の覚醒誘導部を現在時刻に応じて選択して駆動させる
請求項９又は１０に記載の覚醒誘導制御装置。
【請求項１２】
前記制御部は、前記複数の覚醒誘導部の中の１以上の覚醒誘導部を季節に応じて選択して駆動させる
請求項９〜１１のいずれか１項に記載の覚醒誘導制御装置。
【請求項１３】
前記制御部は、前記複数の覚醒誘導部の中の１以上の覚醒誘導部をランダムに選択して駆動させる
請求項９〜１２のいずれか１項に記載の覚醒誘導制御装置。
【請求項１４】
前記制御部は、前記複数の覚醒誘導部の中の１以上の覚醒誘導部を前記人の属性に応じて選択して駆動させる
請求項９〜１２のいずれか１項に記載の覚醒誘導制御装置。
【請求項１５】
さらに、前記複数の覚醒誘導部のそれぞれごとに、前記所定時間に対する前記人の眠気レベルの、前記人を覚醒させる方向への変化量を記憶した記憶部を備え、
前記制御部は、前記記憶部に記憶された前記変化量が最も大きい覚醒誘導部を含む１以上の覚醒誘導部を駆動させる
請求項９〜１４のいずれか１項に記載の覚醒誘導制御装置。
【請求項１６】
請求項１〜１５のいずれか１項に記載の覚醒誘導制御装置と、前記覚醒誘導部とを備える
覚醒誘導システム。
【発明の詳細な説明】
【技術分野】
【０００１】
本開示は、覚醒誘導制御装置および覚醒誘導システムに関する。
【背景技術】
【０００２】
従来、人の眠気を覚ますように、人の覚醒を誘導する覚醒誘導制御装置が提案されている。例えば、特許文献１には、空調を制御することによって、熱により人を刺激し、当該人の覚醒を誘導する装置が開示されている。また、例えば、特許文献２および特許文献３には、音を制御することによって、音により人を刺激し、当該人の覚醒を誘導する装置が開示されている。また、特許文献４には、香りを発生する機器を制御することによって、香りにより人を刺激し、当該人の覚醒を誘導する装置が開示されている。
【先行技術文献】
【特許文献】
【０００３】
【特許文献１】特開２００５−１８６６５７号公報
【特許文献２】特開２００９−３１９０５号公報
【特許文献３】特開平１１−１０９９８５号公報
【特許文献４】特開平１１−３１００５３号公報
【発明の概要】
【発明が解決しようとする課題】
【０００４】
しかしながら、従来の人の覚醒を誘導する覚醒誘導制御装置では、人の覚醒を誘導する場合、継続的な使用により人に慣れを生じさせることがある。そのため、従来の覚醒誘導制御装置では、継続して使用した場合に、人の覚醒を誘導する効果（覚醒誘導効果）が低下するという課題がある。
【０００５】
本開示は、このような課題を解決するためになされたものであり、慣れを生じさせにくくして、覚醒誘導効果の低下を抑制できる覚醒誘導制御装置などを提供することを目的とする。
【課題を解決するための手段】
【０００６】
上記課題を解決するために、本開示の一態様に係る覚醒誘導制御装置は、人の眠気度合いを示す眠気レベルを検出する眠気検出部と、前記眠気検出部が検出した前記眠気レベルが所定の基準を満たす場合に、前記人の覚醒を誘導する覚醒誘導部を駆動させ、駆動させてから所定時間が経過したときに前記覚醒誘導部を停止させる制御部と、を備える。
【０００７】
また、本開示の一態様に係る覚醒誘導システムは、上記覚醒誘導制御装置と、上記覚醒誘導部とを備える。
【発明の効果】
【０００８】
本開示に係る覚醒誘導制御装置などによれば、覚醒誘導効果の低下を抑制できる。
【図面の簡単な説明】
【０００９】
【図１】図１は、実施の形態に係る覚醒誘導制御装置を含むシステムの一例を説明するための図である。
【図２】図２は、実施の形態に係る覚醒誘導制御装置の特徴的な機能構成を示すブロック図である。
【図３】図３は、眠気レベルに応じた人の特徴の一例を示す図である。
【図４】図４は、実施の形態に係る覚醒誘導制御装置が覚醒誘導部を停止させる手順を示すフローチャートである。
【図５Ａ】図５Ａは、実施の形態に係る覚醒誘導制御装置を使用した場合の時間に対する眠気レベルの変化の一例を示す図である。
【図５Ｂ】図５Ｂは、比較例に係る覚醒誘導制御装置を使用した場合の時間に対する眠気レベルの変化の一例を示す図である。
【図６Ａ】図６Ａは、実施の形態に係る覚醒誘導制御装置が覚醒誘導部の駆動停止までの時間を通知するための出力結果の一例を示す図である。
【図６Ｂ】図６Ｂは、実施の形態に係る覚醒誘導制御装置が覚醒誘導部の駆動停止を通知するための出力結果の一例を示す図である。
【図７】図７は、実施の形態に係る覚醒誘導制御装置が所定の時間を決定する手順の一例を示すフローチャートである。
【図８】図８は、実施の形態に係る覚醒誘導制御装置が所定の時間を決定する手順の別の一例を示すフローチャートである。
【図９Ａ】図９Ａは、実施の形態に係る覚醒誘導制御装置が車両に配置される場合に所定の時間を決定する手順の一例を示すフローチャートである。
【図９Ｂ】図９Ｂは、実施の形態に係る覚醒誘導制御装置が車両に配置される場合に所定の時間を決定する手順の別の一例を示すフローチャートである。
【図１０】図１０は、実施の形態に係る覚醒誘導制御装置が複数の覚醒誘導部を駆動させる場合のそれぞれの覚醒誘導部を停止する手順を示すフローチャートである。
【図１１】図１１は、実施の形態に係る覚醒誘導制御装置が複数の覚醒誘導部を異なるタイミングで駆動させる手順を示すフローチャートである。
【図１２】図１２は、実施の形態に係る覚醒誘導制御装置を使用した場合の時間に対する眠気レベルの変化の別の一例を示す図である。
【図１３】図１３は、実施の形態に係る覚醒誘導制御装置が駆動させる覚醒誘導部を選択する手順の第一例を示すフローチャートである。
【図１４】図１４は、実施の形態に係る覚醒誘導制御装置が駆動させる覚醒誘導部を選択する手順の第二例を示すフローチャートである。
【図１５】図１５は、実施の形態に係る覚醒誘導制御装置が駆動させる覚醒誘導部を選択する手順の第三例を示すフローチャートである。
【図１６】図１６は、実施の形態に係る覚醒誘導制御装置を含むシステムの別の一例を説明するための図である。
【発明を実施するための形態】
【００１０】
（本開示の概要）
上記課題を解決するために、本開示の一態様に係る覚醒誘導制御装置は、人の眠気度合いを示す眠気レベルを検出する眠気検出部と、前記眠気検出部が検出した前記眠気レベルが所定の基準を満たす場合に、前記人の覚醒を誘導する覚醒誘導部を駆動させ、駆動させてから所定時間が経過したときに前記覚醒誘導部を停止させる制御部と、を備える。
【００１１】
これにより、制御部は、所定時間が経過した場合に、覚醒誘導部を自動で停止させることとなる。そのため、覚醒誘導制御装置のユーザ（人）は、当該覚醒誘導制御装置を繰り返し使用した場合に、覚醒を誘導する方法に慣れにくくなる。つまり、本開示に係る覚醒誘導制御装置によれば、覚醒誘導方法に対してユーザの慣れを生じさせにくくして、ユーザに対する覚醒誘導効果の低下を抑制できる。
【００１２】
また、例えば、前記覚醒誘導制御装置は、さらに、前記覚醒誘導部の駆動情報を出力する出力部を備えてもよい。
【００１３】
これにより、覚醒誘導制御装置は、ディスプレイ、スピーカなどの装置と接続されることで、覚醒誘導部の駆動情報を提示させることができる。そのため、ユーザは、ディスプレイ、スピーカなどの装置を通じて覚醒誘導部の駆動情報を確認しやすくなる。
【００１４】
また、例えば、前記駆動情報は、前記制御部が前記覚醒誘導部を停止させるまでの時間を示す時間情報を含んでもよい。
【００１５】
これにより、ユーザは、覚醒誘導部の停止までの時間を確認することができるため、例えば覚醒誘導制御装置が車両に設置される場合などにおいては、覚醒誘導部が停止するまでに、休憩場所を確保するなどの当該時間に応じて予定をたてることができる。そのため、このような構成によれば、覚醒誘導制御装置の利便性は、向上される。
【００１６】
また、例えば、前記駆動情報は、前記制御部が前記覚醒誘導部を停止させた場合に、前記覚醒誘導部を停止させたことを示す停止情報を含んでもよい。
【００１７】
これにより、覚醒誘導制御装置は、覚醒誘導部が故障などによって停止したとユーザに勘違いさせることを低減できる。
【００１８】
また、例えば、前記制御部は、現在時刻に応じて、前記所定時間を変更してもよい。
【００１９】
これにより、例えば、昼過ぎごろなどのユーザが眠くなりやすいと推定される時刻に応じて、覚醒誘導部の駆動時間が調整される。そのため、このような構成によれば、ユーザへの覚醒誘導効果を高めることができる。
【００２０】
また、例えば、前記制御部は、前記覚醒誘導部を駆動させた回数に応じて、前記所定時間を変更してもよい。
【００２１】
これにより、ユーザにとって、覚醒誘導部の覚醒誘導方法に対して慣れを生じさせにくくできる。そのため、このような構成によれば、ユーザへの覚醒誘導効果の低下が抑制される。
【００２２】
また、例えば、前記覚醒誘導制御装置は、車両に設置され、前記制御部は、前記車両を運転する人の連続運転時間に応じて、前記所定時間を変更してもよい。
【００２３】
これにより、制御部は、ユーザの運転時間に応じた、覚醒誘導部の覚醒誘導方法に対する慣れやすさを考慮して覚醒誘導部を駆動させることができる。そのため、このような構成によれば、ユーザに対する覚醒誘導効果の低下がより抑制される。
【００２４】
また、例えば、前記制御部は、前記車両を運転する人の１日当たりの総運転時間に応じて、前記所定時間を変更してもよい。
【００２５】
これにより、制御部は、ユーザの１日の総運転時間に応じた、覚醒誘導部の覚醒誘導方法に対する慣れやすさを考慮して覚醒誘導部を駆動させることができる。そのため、このような構成によれば、ユーザへの覚醒誘導効果の低下がより抑制される。
【００２６】
また、例えば、前記覚醒誘導制御装置は、前記人の覚醒を誘導する覚醒誘導方法の異なる複数の前記覚醒誘導部と接続されており、前記制御部は、前記複数の覚醒誘導部を駆動してから、前記複数の覚醒誘導部のそれぞれごとに設定された異なる前記所定時間が経過したときに、前記複数の覚醒誘導部のそれぞれごとに停止させてもよい。
【００２７】
これにより、覚醒誘導制御装置は、覚醒誘導方法に応じて、ユーザの慣れをより生じさせにくくできる。そのため、このような構成によれば、ユーザへの覚醒誘導効果の低下がより抑制される。
【００２８】
また、例えば、前記制御部は、前記複数の覚醒誘導部の内の１以上の覚醒誘導部を駆動させ、前記複数の覚醒誘導部のそれぞれごとに設定された異なる前記所定時間が経過したときに、前記１以上の覚醒誘導部を、前記覚醒誘導部のそれぞれごとに停止させ、さらに、停止させた前記１以上の覚醒誘導部とは異なる前記覚醒誘導部の内の１以上の覚醒誘導部を駆動させてもよい。
【００２９】
これにより、複数の覚醒誘導部のうち、同じ覚醒誘導部が連続して駆動されることを抑制され、それぞれの駆動回数が偏ることが抑制される。そのため、ユーザは、覚醒誘導部ごとの覚醒誘導方法に対して慣れにくくなる。つまり、このような構成によれば、ユーザへの覚醒誘導効果の低下がより抑制される。
【００３０】
また、例えば、前記制御部は、前記複数の覚醒誘導部の中の１以上の覚醒誘導部を現在時刻に応じて選択して駆動させてもよい。
【００３１】
これにより、現在時刻により、ユーザが覚醒誘導制御装置を使用すると推定される環境に応じて、覚醒誘導部が駆動され得る。そのため、このような構成によれば、ユーザへの覚醒誘導効果を高めることができる。
【００３２】
また、例えば、前記制御部は、前記複数の覚醒誘導部の中の１以上の覚醒誘導部を季節に応じて選択して駆動させてもよい。
【００３３】
これにより、季節に応じた、エネルギー効率よく、且つユーザの覚醒を誘導できる覚醒誘導部が駆動され得る。そのため、このような構成によれば、ユーザへの覚醒誘導効果を高めることができる。
【００３４】
また、例えば、前記制御部は、前記複数の覚醒誘導部の中の１以上の覚醒誘導部をランダムに選択して駆動させてもよい。
【００３５】
これにより、複数の覚醒誘導部のうち、同じ覚醒誘導部が連続して駆動されることが抑制されやすくなる。そのため、ユーザは、覚醒誘導部ごとの覚醒誘導方法に対して慣れにくくなる。つまり、このような構成によれば、ユーザへの覚醒誘導効果の低下がより抑制される。
【００３６】
また、例えば、前記制御部は、前記複数の覚醒誘導部の中の１以上の覚醒誘導部を前記人の属性に応じて選択して駆動させてもよい。ユーザの属性は、ユーザの年齢、性別、体格等の情報である。
【００３７】
これにより、ユーザの属性に応じて、効果的にユーザの覚醒を誘導させることができる。
【００３８】
また、例えば、前記覚醒誘導制御装置は、さらに、前記複数の覚醒誘導部のそれぞれごとに、前記所定時間に対する前記人の眠気レベルの、前記人を覚醒させる方向への変化量を記憶した記憶部を備え、前記制御部は、前記記憶部に記憶された前記変化量が最も大きい覚醒誘導部を含む１以上の覚醒誘導部を駆動させてもよい。
【００３９】
これにより、ユーザの特性に応じて、効果的にユーザの覚醒を誘導させることができる。
【００４０】
また、本開示の一態様に係る覚醒誘導システムは、上記覚醒誘導制御装置と、上記覚醒誘導部とを備える。
【００４１】
これにより、本開示の覚醒誘導システムによれば、予め定められた所定時間が経過した場合に、覚醒誘導部を自動で停止させることとなる。そのため、覚醒誘導システムのユーザは、覚醒を誘導する方法に慣れることなく、当該覚醒誘導制御装置を繰り返し使用できる。つまり、本開示に係る覚醒誘導システムによれば、覚醒誘導方法に対してユーザに慣れを生じさせにくくできる。そのため、ユーザへの覚醒誘導効果の低下は、抑制される。
【００４２】
以下、本開示の実施の形態について、図面を参照して説明する。なお、以下に説明する実施の形態は、いずれも本開示の包括的または具体的な例を示すものである。したがって、以下の実施の形態で示される、数値、構成要素、構成要素の配置位置および接続形態、並びに、工程（ステップ）および工程の順序等は、一例であって本開示を限定する主旨ではない。よって、以下の実施の形態における構成要素のうち、本開示の最上位概念を示す独立請求項に記載されていない構成要素については、任意の構成要素として説明される。
【００４３】
また、各図は、模式図であり、必ずしも厳密に図示されたものではない。したがって、各図において縮尺などは必ずしも一致していない。各図において、実質的に同一の構成に対しては同一の符号を付しており、重複する説明は省略又は簡略化する。
【００４４】
（実施の形態）
［構成］
まず、実施の形態に係る覚醒誘導制御装置および覚醒誘導システムの構成について、図１および図２を参照して説明する。
【００４５】
図１は、実施の形態に係る覚醒誘導制御装置を含むシステムの一例を説明するための図である。図２は、実施の形態に係る覚醒誘導制御装置の特徴的な機能構成を示すブロック図である。
【００４６】
覚醒誘導制御装置１００は、図１に示される車両６００に搭載され、車両６００の運転手などのユーザＵの覚醒を誘導する装置である。
【００４７】
図２に示されるように、覚醒誘導制御装置１００は、眠気検出部１１０と、制御部１２０と、出力部１３０と、記憶部１４０とを備える。
【００４８】
眠気検出部１１０は、ユーザＵの眠気度合いを示す眠気レベルを検出する。言い換えると、眠気検出部１１０は、ユーザＵが覚醒している度合いを示す覚醒度を検出する。例えば、眠気検出部１１０は、眠気検出部１１０と接続された撮像部４００が撮像したユーザＵを含む動画像から、ユーザＵの眠気レベルを検出する。ユーザＵの眠気レベルを検出する方法は、特に限定されないが、例えば、ユーザＵの顔の動画像情報から眠気レベルを検出することができる。
【００４９】
図３は、眠気レベルに応じたユーザＵの特徴の一例を示す図である。
【００５０】
図３に示されるように、例えば、ユーザＵの瞬きの周期が安定している場合は眠気レベルが低く、例えば１と判定され、ユーザＵの瞬きが遅く、且つ瞬きの周期が短く頻繁に行われている場合は眠気レベルが高く、例えば３と判定される。つまり、ユーザＵは、ユーザＵの瞬きの周期が安定している場合は眠くないと判定され、ユーザＵの瞬きが遅く且つ頻繁に行われている場合は眠いと判定される。このように、眠気検出部１１０は、撮像部４００から取得したユーザＵが含まれる動画像を解析することにより、ユーザＵの眠気レベルを検出する。
【００５１】
なお、図３に示す眠気レベル、眠気度合いおよび特徴例の関係はあくまで一例であり、これに限定されるものではない。例えば、眠気レベルは、６段階以上に分類されてもよいし、４段階以下に分類されてもよい。
【００５２】
また、ユーザＵの眠気度合いが高い方が、眠気レベルの数値が低く設定されてもよい。以下では、眠気レベルが低いとは、ユーザの眠気度合いが低い状態であるとして説明する。
【００５３】
撮像部４００としては、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ用いたカメラ、ＣＣＤ（Ｃｈａｒｇｅ  Ｃｏｕｐｌｅｄ  Ｄｅｖｉｃｅ）イメージセンサを用いたカメラなどが例示される。
【００５４】
再び図２を参照し、制御部１２０は、眠気検出部１１０が検出した眠気レベルが所定の基準を満たす場合に、ユーザＵの覚醒を誘導する覚醒誘導部３００ａ〜３００ｄのうち、１又は複数を駆動（つまり、駆動を開始）させる。例えば、制御部１２０は、眠気検出部１１０が検出した眠気レベルが、予め定められた眠気レベルの基準値以上の場合に、ユーザＵの覚醒を誘導する覚醒誘導部３００ａ〜３００ｄの１又は複数を駆動させる。なお、以下では、覚醒誘導部３００ａ〜３００ｄをまとめて覚醒誘導部３００と呼称して説明する。覚醒誘導制御装置１００は、１又は複数の覚醒誘導部３００と配線（不図示）などにより接続されている。
【００５５】
覚醒誘導部３００は、ユーザＵの覚醒を誘導して、ユーザＵの眠気レベルを下げるために用いられる装置である。覚醒誘導部３００としては、音を発する音響装置、光を発する発光装置、香りを発するアロマ発生器、温度、湿度、ＣＯ２濃度などの空調を制御するエアーコンディショナなどが例示される。つまり、覚醒誘導部３００は、音、光、熱などによってユーザＵを刺激して覚醒を誘導する、又は、湿度、ＣＯ２濃度などを下げてユーザＵの眠気を誘因する環境を改善する装置である。
【００５６】
なお、所定の基準（基準値）は、予め設定されていればよく、眠気レベルは特に限定されない。例えば、基準値は、眠気レベルが３であると、記憶部１４０に予め記憶されている。
【００５７】
また、制御部１２０は、眠気検出部１１０が検出した眠気レベルが所定の基準を満たす場合に覚醒誘導部３００を駆動させ、駆動させてから所定時間経過したときに覚醒誘導部３００を停止させる。つまり、制御部１２０は、眠気検出部１１０が検出した眠気レベルが基準値以上である場合に覚醒誘導部３００を駆動させ、駆動させてから所定時間経過したときに覚醒誘導部３００の駆動を停止させる。
【００５８】
所定時間は、予め任意に設定された時間が採用されればよく、特に限定されるものではない。例えば、所定時間は、予め、５分、１０分、１５分などに設定される。
【００５９】
なお、制御部１２０が、現在時刻に応じて、所定時間を変更してもよい。また、例えば、制御部１２０は、覚醒誘導部３００を駆動させた回数に応じて、所定時間を変更してもよい。
【００６０】
また、覚醒誘導制御装置１００が車両６００に設置される場合には、制御部１２０は、車両６００を運転する運転手（ユーザＵ）の連続運転時間に応じて、所定時間を変更してもよい。また、この場合には、制御部１２０は、車両６００を運転するユーザＵの１日当たりの総運転時間に応じて、所定時間を変更してもよい。
【００６１】
なお、眠気レベルの判定基準および眠気レベルの基準値は、任意に設定されてよく、特に限定されるものではない。
【００６２】
また、覚醒誘導方法の異なる複数の覚醒誘導部３００を覚醒誘導制御装置１００が備える場合、制御部１２０は、複数の覚醒誘導部３００の中の１以上の覚醒誘導部３００を、覚醒誘導部３００を駆動してから、異なる所定時間が経過したときに、１以上の覚醒誘導部３００をそれぞれごとに停止させてもよい。
【００６３】
また、覚醒誘導方法の異なる複数の覚醒誘導部３００を覚醒誘導制御装置１００が備える場合、制御部１２０は、複数の覚醒誘導部３００を覚醒誘導部３００のそれぞれごとに順番に駆動させてもよい。この場合に、制御部１２０は、前回駆動させた１以上の覚醒誘導部３００とは１以上異なる複数の覚醒誘導部３００を駆動させてもよい。つまり、制御部１２０は、複数の覚醒誘導部３００の内の１以上の覚醒誘導部３００を駆動させ、複数の覚醒誘導部３００のそれぞれごとに設定された異なる所定時間が経過したときに、１以上の覚醒誘導部３００を、覚醒誘導部３００のそれぞれごとに停止させてもよい。さらに、制御部１２０は、停止させた１以上の覚醒誘導部３００とは異なる覚醒誘導部３００の内の１以上の覚醒誘導部３００を駆動させてもよい。
【００６４】
なお、複数の覚醒誘導部３００の中から、制御部１２０が駆動させる覚醒誘導部３００を選択する方法は、特に限定されない。例えば、制御部１２０は、複数の覚醒誘導部３００から１または複数をランダムに選択して、選択した覚醒誘導部３００を駆動させてもよい。また、例えば、制御部１２０は、複数の覚醒誘導部３００の中の１以上の覚醒誘導部３００を現在時刻に応じて選択して駆動させてもよい。また、例えば、制御部１２０は、複数の覚醒誘導部３００の中の１以上の覚醒誘導部３００を季節に応じて選択して駆動させてもよい。また、覚醒誘導制御装置１００は、覚醒誘導部３００ごとに、所定時間に対するユーザＵの眠気レベルの低下量（つまり、ユーザＵを覚醒させる方向への変化量）を記憶している記憶部１４０を備えてもよい。この場合、制御部１２０は、記憶部１４０に記憶された所定時間に対するユーザＵの眠気レベルの低下量が最も大きい覚醒誘導部３００を含む１以上の覚醒誘導部３００を駆動させてもよい。言い換えると、制御部１２０は、記憶部１４０に記憶された所定時間に対するユーザＵの眠気レベルの変化量が、ユーザＵを覚醒する向きに最も大きい覚醒誘導部３００を含む１以上の覚醒誘導部３００を駆動させてもよい。
【００６５】
眠気検出部１１０および制御部１２０は、例えば、ＣＰＵ（Ｃｅｎｔｒａｌ  Ｐｒｏｃｅｓｓｉｎｇ  Ｕｎｉｔ）と、記憶部１４０に記憶された制御プログラムとによって実現される。なお、眠気検出部１１０および制御部１２０は、それぞれ別のプロセッサで実現されてもよいし、同一のプロセッサで実現させてもよい。
【００６６】
出力部１３０は、制御部１２０が駆動させた覚醒誘導部３００の駆動情報を出力するためのインターフェースである。出力部１３０は、例えば、ディスプレイなどの表示装置である表示部５００と接続され、表示部５００に覚醒誘導部３００の駆動情報を示す文字、絵などの表示情報を出力する。表示部５００は、取得した当該表示情報を画像として表示する。
【００６７】
表示部５００としては、液晶パネル、または、有機ＥＬパネル等によって構成されるモニタ装置（ディスプレイ）が例示される。また、表示部５００として、テレビ、又は、スマートフォン、タブレット端末などの情報端末など、ディスプレイを有する装置が用いられてもよい。
【００６８】
なお、出力部１３０は、例えば、スピーカなどに接続され、制御部１２０が実行した制御内容を示す音情報を出力してもよい。
【００６９】
また、駆動情報には、例えば、制御部１２０が覚醒誘導部３００を停止させるまでの時間を示す時間情報が含まれてもよい。こうすることで、覚醒誘導制御装置１００は、ディスプレイ、スピーカなどの表示部５００と接続されることで、覚醒誘導部３００を駆動してからの時間を提示させることができる。そのため、ユーザＵは、ディスプレイ、スピーカなどの表示部５００を通じて覚醒誘導部３００を駆動してからの時間を認識しやすくなる。
【００７０】
また、駆動情報には、例えば、制御部１２０が覚醒誘導部３００を停止させた場合に、覚醒誘導部３００を停止させたことを示す停止情報が含まれてもよい。こうすることで、覚醒誘導制御装置１００は、覚醒誘導部３００が故障などによって停止したとユーザＵに勘違いさせることを低減できる。
【００７１】
記憶部１４０は、眠気検出部１１０および制御部１２０が実行する制御プログラムが記憶されている記憶装置である。記憶部１４０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）などである。
【００７２】
また、記憶部１４０は、覚醒誘導部３００ごとに、所定時間に対するユーザＵの眠気レベルの低下量を記憶してもよい。言い換えると、記憶部１４０は、所定時間に対するユーザＵの眠気レベルのユーザＵを覚醒させる方向への変化量を記憶してもよい。
【００７３】
なお、覚醒誘導制御装置１００は、時間を計測するために、ＲＴＣ（Ｒｅａｌ  Ｔｉｍｅ  Ｃｌｏｃｋ）などの計時部（不図示）を備えてもよい。
【００７４】
また、本開示は、覚醒誘導制御装置１００と、１又は複数の覚醒誘導部３００とを備えるシステムとして構成されてもよい。言い換えると、本開示に係る覚醒誘導システム２００は、覚醒誘導制御装置１００と、覚醒誘導部３００とを備える。
【００７５】
［動作］
続いて、実施の形態に係る覚醒誘導制御装置１００および覚醒誘導システム２００の動作について、図４〜図１５を参照して説明する。なお、以下の説明においては、眠気レベルの判定基準として、図３に示す眠気レベル、眠気度合いおよび特徴例の関係が予め記憶部１４０に記憶されているものとする。また、基準値は、眠気レベルが３として設定されているものとして説明する。
【００７６】
図４は、実施の形態に係る覚醒誘導制御装置１００が覚醒誘導部３００を停止する手順を示すフローチャートである。
【００７７】
眠気検出部１１０は、ユーザＵの眠気レベルを検出する（ステップＳ１０１）。例えば、眠気検出部１１０は、撮像部４００が撮像した動画像を取得し、取得した動画像を解析することで、ユーザＵの眠気レベルを検出する。
【００７８】
次に、制御部１２０は、眠気検出部１１０が検出した眠気レベルが基準値以上であるか否かを判定する（ステップＳ１０２）。制御部１２０が眠気レベルを基準値以上ではないと判定した場合（ステップＳ１０２でＮｏ）、眠気検出部１１０および制御部１２０は、ステップＳ１０１およびステップＳ１０２の動作を実行し続ける。
【００７９】
一方、制御部１２０は、眠気レベルを基準値以上であると判定した場合（ステップＳ１０２でＹｅｓ）、覚醒誘導部３００を駆動させる（ステップＳ１０３）。
【００８０】
次に、制御部１２０は、所定時間が経過したか否かを判定する（ステップＳ１０４）。例えば、覚醒誘導制御装置１００は、上述した計時部を備え、当該計時部は、覚醒誘導部３００を駆動している時間を測定してもよい。制御部１２０は、当該計時部が測定した時間を取得してもよい。制御部１２０は、所定時間が経過していないと判定した場合（ステップＳ１０４でＮｏ）、ステップＳ１０４の動作を実行し続ける。
【００８１】
一方、制御部１２０は、所定時間が経過したと判定した場合（ステップＳ１０４でＹｅｓ）、覚醒誘導部３００を停止させる（ステップＳ１０５）。
【００８２】
なお、ステップＳ１０３からステップＳ１０４の間に、眠気検出部１１０は、ユーザＵの眠気レベルを検出してもよい。制御部１２０は、所定時間が経過する前に、ユーザＵの眠気レベルが予め任意に定められた基準値以下となった場合、覚醒誘導部３００を停止させてもよい。また、この場合には、駆動させていた覚醒誘導部３００の覚醒誘導方法は、ユーザＵへの覚醒誘導効果が大きいと考えられる。そのため、制御部１２０は、駆動させていた覚醒誘導部３００を再度駆動させる際には、設定されている所定時間を短くしてもよい。
【００８３】
図５Ａは、実施の形態に係る覚醒誘導制御装置１００を使用した場合の時間に対する眠気レベルの変化の一例を示す図である。なお、図５Ａは、図４に示すフローチャートで覚醒誘導システム２００を動作させた場合における、ユーザＵの眠気レベルの変化の一例を示すグラフである。また、図５Ａに示すグラフの横軸は時間であり、縦軸はユーザＵの眠気レベルを示す。
【００８４】
図５Ａに示されるように、時間が経過するにしたがって、ユーザＵの眠気レベルは上昇する。時刻ｔ１において、ユーザＵの眠気レベルが３に到達したとする。ここで、制御部１２０は、覚醒誘導部３００を駆動させる。さらに時間経過に伴い、ユーザＵの眠気レベルは徐々に低下する。時刻ｔ２において、制御部１２０は、覚醒誘導部３００を停止させる。つまり、図５Ａにおいて、所定時間は、時刻ｔ１から時刻ｔ２までの時間である。このように、覚醒誘導制御装置１００は、覚醒誘導部３００のユーザＵへの覚醒効果によらず、所定時間が経過した場合に覚醒誘導部３００を停止させる。
【００８５】
図５Ｂは、比較例に係る覚醒誘導制御装置を使用した場合の時間に対する眠気レベルの変化の一例を示す図である。なお、図５Ｂに示す実線は、実施の形態に係る覚醒誘導制御装置１００を使用した場合の時間に対する眠気レベルの変化の一例を示し、図５Ｂに示す破線は、比較例に係る覚醒誘導制御装置１００を使用した場合の時間に対する眠気レベルの変化の一例を示している。
【００８６】
また、図５Ｂに示す比較例に係る覚醒誘導制御装置は、ユーザの眠気レベルが３のときに覚醒誘導部を駆動させ、その後にユーザの眠気レベルが１になったときに覚醒誘導部を停止させる制御を行うものとして説明する。また、図５Ｂでは、比較例に係る覚醒誘導制御装置と、実施の形態に係る覚醒誘導制御装置とは、同じ覚醒誘導部を駆動させた場合の眠気レベルの変化の一例を示している。
【００８７】
図５Ｂに示されるように、時間が経過するにしたがって、ユーザＵの眠気レベルは上昇する。時刻ｔ３において、ユーザＵの眠気レベルが３に到達したとする。
【００８８】
ここで、実施の形態に係る覚醒誘導制御装置および比較例に係る覚醒誘導制御装置は、覚醒誘導部を駆動させる。さらに時間経過に伴い、ユーザＵの眠気レベルは徐々に低下する。
【００８９】
実施の形態に係る覚醒誘導制御装置は、時刻ｔ４において、覚醒誘導部を停止させる。つまり、図５Ｂにおいて、所定時間は、時刻ｔ３から時刻ｔ４までの時間である。このように、実施の形態に係る覚醒誘導制御装置は、覚醒誘導部のユーザＵへの覚醒効果によらず、所定時間が経過した場合に覚醒誘導部を停止させる。また、実施の形態に係る覚醒誘導制御装置は、時刻ｔ６において、ユーザＵの眠気レベルが３に到達したため、再度覚醒誘導部を駆動させる。このように、実施の形態に係る覚醒誘導制御装置は、覚醒誘導部を所定時間で停止させ、ユーザの眠気レベルが所定の基準を満たす場合に再度駆動させるように、覚醒誘導部を間欠的に（繰り返し）駆動させる。こうすることで、ユーザＵにとって覚醒誘導部が実行する覚醒誘導方法に慣れにくくなるため、繰り返し使用した場合においても、時間に対して眠気レベルが低下しにくくなることが抑制される。
【００９０】
一方、比較例に係る覚醒誘導制御装置は、時刻ｔ４において、ユーザＵの眠気レベルが１になっていないため、覚醒誘導部を停止させない。比較例に係る覚醒誘導制御装置は、時刻ｔ５において、ユーザＵの眠気レベルが１になったと判定して、覚醒誘導部を停止させる。また、比較例に係る覚醒誘導制御装置は、時刻ｔ７において、ユーザＵの眠気レベルが３に到達したため、再度覚醒誘導部を駆動させる。
【００９１】
ここで、比較例に係る覚醒誘導制御装置では、時刻ｔ３から時刻ｔ５の間における、時間に対するユーザＵの眠気レベルの低下量よりも、時刻ｔ７以降における、時間に対する眠気レベルの低下量が小さくなっている。つまり、比較例に係る覚醒誘導制御装置では、実施の形態に係る覚醒誘導制御装置と比較して、ユーザＵにとって覚醒誘導部が実行する覚醒誘導方法に慣れ、繰り返し使用した場合において、時間に対して眠気レベルが低下しにくくなる。また、比較例に係る覚醒誘導制御装置では、時刻ｔ８において、さらに、時間に対して眠気レベルが低下しにくくなっている。このような場合においては、ユーザＵの眠気レベルが下がらないために、ユーザＵの覚醒を誘導させる効果が見られないにも関わらず、覚醒誘導部が長時間駆動されることが懸念される。
【００９２】
以上のように、覚醒誘導制御装置１００は、ユーザＵの眠気度合いを示す眠気レベルを検出する眠気検出部１１０と、制御部１２０とを備える。制御部１２０は、眠気検出部１１０が検出した眠気レベルが所定の基準を満たす場合に、ユーザＵの覚醒を誘導する覚醒誘導部３００を駆動させ、覚醒誘導部３００を駆動させてから所定時間が経過したときに、覚醒誘導部３００を停止させる。
【００９３】
こうすることで、制御部１２０は、所定時間が経過した場合に、覚醒誘導部３００を自動で停止させることとなる。そのため、ユーザＵが覚醒誘導制御装置１００を繰り返し使用した場合においても、覚醒を誘導する方法にユーザＵが慣れることは、抑制される。つまり、本開示に係る覚醒誘導制御装置１００によれば、覚醒誘導方法に対してユーザＵの慣れを生じさせにくくして、覚醒誘導効果の低下を抑制できる。また、覚醒誘導部３００を間欠的に動作させることにより、長時間駆動し続ける場合と比較して、電力などのエネルギー消費量を削減できる。
【００９４】
なお、上述したように、本開示は、覚醒誘導制御装置１００と、１又は複数の覚醒誘導部３００とを備える覚醒誘導システム２００として構成されてもよい。
【００９５】
このように構成された覚醒誘導システム２００によれば、ユーザＵは、覚醒誘導部３００が実現するユーザＵの覚醒を誘導する方法に慣れにくくなる。つまり、覚醒誘導システム２００によれば、覚醒誘導方法に対してユーザＵの慣れを生じさせにくくして、覚醒誘導効果の低下を抑制できる。
【００９６】
図６Ａは、実施の形態に係る覚醒誘導制御装置１００が覚醒誘導部３００の停止までの時間を通知するための出力結果の一例を示す図である。
【００９７】
覚醒誘導制御装置１００は、所定時間が経過した場合に、自動で覚醒誘導部３００を停止させる。そのために、ユーザＵには、覚醒誘導部３００が覚醒誘導制御装置１００によって停止させられたのか、故障などにより意図せず停止したのかが、判別しにくい。
【００９８】
例えば、覚醒誘導部３００として、照明光を発する照明装置が採用されたとする。この場合に、出力部１３０は、図４に示すステップＳ１０４において、例えば、図６Ａに示す画像５１０を表示部５００に表示させるための情報を出力してもよい。こうすることで、ユーザＵにとって、覚醒誘導部３００が制御部１２０によって停止させられたのか、故障などにより意図せず停止したのかが、判別しやすくなる。
【００９９】
なお、出力部１３０が出力する情報は、表示部５００に表示される画像情報に限定されない。例えば、覚醒誘導システム２００がスピーカを備える場合、制御部１２０は、出力部１３０に音声情報を出力させてもよい。例えば、制御部１２０は、覚醒誘導部３００を停止させる場合に、覚醒誘導部３００を停止させる旨を示す音声情報を出力部１３０に出力させてもよい。こうすることで、覚醒誘導制御装置１００は、覚醒誘導部３００を停止させることをユーザＵに通知してもよい。
【０１００】
図６Ｂは、実施の形態に係る覚醒誘導制御装置１００が覚醒誘導部３００の停止を通知するための出力結果の一例を示す図である。
【０１０１】
出力部１３０は、図４に示すステップＳ１０５において、例えば、図６Ｂに示す画像５１１を表示部５００に表示させるための情報を出力してもよい。
【０１０２】
続いて、制御部１２０が、所定時間を決定する場合の手順について説明する。
【０１０３】
図７は、実施の形態に係る覚醒誘導制御装置１００が所定時間を決定する手順の一例を示すフローチャートである。
【０１０４】
制御部１２０は、現在時刻を取得する（ステップＳ２０１）。現在時刻を取得する方法は、特に限定されない。例えば、制御部１２０は、覚醒誘導制御装置１００がＲＴＣなどの計時部を備える場合、ＲＴＣから現在時刻を取得してもよい。
【０１０５】
次に、制御部１２０は、取得した現在時刻から、所定時間を決定する（ステップＳ２０２）。例えば、所定時間が予め任意に定められており、制御部１２０は、現在時刻に応じて、予め定められた所定時間を変更して、新たな所定時間を決定してもよい。
【０１０６】
例えば、所定時間は、予め１０分として設定されているとする。この場合に、制御部１２０は、現在時刻が午前１０：００である場合には、所定時間を２分短くした８分と決定してもよい。また、制御部１２０は、現在時刻が昼過ぎごろの１５：００である場合には、所定時間を２分長くした１２分と決定してもよい。このように、ユーザが眠くなりやすい時間帯であるか否かに応じて、制御部１２０は、所定時間を決定してもよい。
【０１０７】
以上のように、制御部１２０は、現在時刻に応じて、所定時間を変更してもよい。こうすることで、ユーザＵが眠くなりやすいと推定される時刻に応じて、覚醒誘導部３００の駆動時間が調整される。そのため、このような構成によれば、ユーザＵにとっての覚醒誘導効果を高めることができる。
【０１０８】
図８は、実施の形態に係る覚醒誘導制御装置１００が所定の時間を決定する手順の別の一例を示すフローチャートである。
【０１０９】
図８に示されるように、制御部１２０は、覚醒誘導部３００の駆動回数を取得する（ステップＳ３０１）。
【０１１０】
次に、制御部１２０は、取得した覚醒誘導部３００の駆動回数から、所定時間を決定する（ステップＳ３０２）。例えば、所定時間が予め任意に定められており、制御部１２０は、覚醒誘導部３００の駆動回数に応じて、予め定められた所定時間を変更して、新たな所定時間を決定してもよい。
【０１１１】
例えば、所定時間は、予め１０分として設定されているとする。この場合に、制御部１２０は、駆動回数が１０回以上である場合には、所定時間を２分短くした８分と決定してもよい。また、制御部１２０は、駆動回数が１０回未満である場合には、所定時間を２分長くした１２分と決定してもよい。ユーザＵは、繰り返し覚醒誘導部３００によって覚醒された場合には、覚醒誘導方法に対して慣れが生じてくる可能性が上がる。そのために、覚醒誘導部３００の駆動回数に応じて、所定時間を変更することにより、ユーザＵへの覚醒誘導効果の低下を抑制することができる。
【０１１２】
次に、制御部１２０は、覚醒誘導部３００の駆動回数を１回増加させて、新たに駆動回数を記憶部１４０に記憶させる（ステップＳ３０３）。
【０１１３】
なお、駆動回数の積算時間は、例えば１日でもよいし、１週間でもよく、予め任意に設定されればよい。
【０１１４】
このように、制御部１２０は、覚醒誘導部３００を駆動させた回数に応じて、所定時間を変更してもよい。こうすることで、ユーザＵは、覚醒誘導部３００の覚醒誘導方法に対して慣れを生じにくい。そのため、このような構成によれば、ユーザＵへの覚醒誘導効果の低下が抑制される。
【０１１５】
図９Ａは、実施の形態に係る覚醒誘導制御装置１００が車両６００に配置される場合に所定の時間を決定する手順の一例を示すフローチャートである。
【０１１６】
ユーザＵが車両６００のエンジンを起動させたとする（ステップＳ４０１）。
【０１１７】
次に、制御部１２０は、車両６００のエンジンが起動している時間である運転時間の測定を開始する（ステップＳ４０２）。車両６００のエンジンが起動されたことを制御部１２０が識別する方法は、特に限定されない。例えば、覚醒誘導制御装置１００は、ユーザＵからの指示を取得するタッチパネルなどのユーザインターフェースと接続されるインターフェースである取得部（不図示）を備えてもよい。この場合に、制御部１２０は、当該取得部がユーザＵから車両６００のエンジンを起動させた旨を示す指示を取得したときに、運転時間の測定を開始してもよい。また、例えば、車両６００がＥＣＵ（Ｅｎｇｉｎｅ  Ｃｏｎｔｒｏｌ  Ｕｎｉｔ）を備える場合、覚醒誘導制御装置１００は、ＥＣＵと接続されるインターフェースである通信部（不図示）を備えてもよい。この場合に、制御部１２０は、当該通信部がＥＣＵから車両６００のエンジンを起動させた旨を示す信号を取得したときに、運転時間の測定を開始してもよい。
【０１１８】
次に、眠気検出部１１０および制御部１２０は、図４に示すステップＳ１０１およびステップＳ１０２と同様の動作を実行する。
【０１１９】
制御部１２０は、眠気レベルを基準値以上であると判定した場合（ステップＳ１０２でＹｅｓ）、測定した運転時間から所定時間を決定する（ステップＳ４０３）。例えば、所定時間が予め任意に定められており、制御部１２０は、運転時間に応じて、予め定められた所定時間を変更して、新たな所定時間を決定してもよい。
【０１２０】
例えば、所定時間は、予め１０分として設定されているとする。この場合に、制御部１２０は、運転時間が１時間未満である場合には、所定時間を２分長くした１２分と決定してもよい。また、制御部１２０は、運転時間が１時間以上である場合には、所定時間を２分短くした８分と決定してもよい。このように、ユーザＵが覚醒誘導方法に慣れてきていると推定される状態であるか否かに応じて、制御部１２０は、所定時間を決定してもよい。
【０１２１】
次に、制御部１２０は、図４に示すステップＳ１０３〜ステップＳ１０５と同様の動作を実行する。
【０１２２】
なお、運転時間は、例えば、車両６００のエンジンを停止させた場合に、再度測定し直してもよいが、１日の運転時間の積算時間である総運転時間でもよい。
【０１２３】
図９Ｂは、実施の形態に係る覚醒誘導制御装置１００が車両６００に配置される場合に所定の時間を決定する手順の別の一例を示すフローチャートである。
【０１２４】
図９Ｂに示されるように、図９Ａに示されるフローチャートとは、ステップＳ４０３ａにおける所定時間の決定方法が異なる。
【０１２５】
ステップＳ４０３ａにおいて、制御部１２０は、１日の総運転時間から所定時間を決定する。例えば、所定時間が予め任意に定められており、制御部１２０は、１日の総運転時間に応じて、予め定められた所定時間を変更して、新たな所定時間を決定してもよい。
【０１２６】
例えば、所定時間は、予め１０分として設定されているとする。この場合に、制御部１２０は、運転時間が１時間未満であるときには、所定時間を２分長くした１２分と決定してもよい。また、この場合に、制御部１２０は、運転時間が１時間以上であるときには、所定時間を２分短くした８分と決定してもよい。つまり、運転時間が長くなるにつれて、所定時間を短くするように、制御部１２０は、所定時間を変更してもよい。このように、ユーザが覚醒誘導方法に慣れてきていると推定される状態であるか否かに応じて、制御部１２０は、所定時間を決定してもよい。なお、運転時間が長くなるにつれて、所定時間を長くするように、制御部１２０は、所定時間を変更してもよい。
【０１２７】
なお、図９Ａおよび図９Ｂに示すステップＳ１０５において、制御部１２０は、覚醒誘導部３００を停止させる制御とともに、表示部５００、スピーカ（不図示）などを動作させる情報を出力部１３０に出力させてもよい。例えば、制御部１２０は、覚醒誘導部３００を停止させる制御とともに、ユーザＵに対して休憩を促すための画像情報、音声情報などを出力部１３０に出力させる。こうすることで、ユーザＵは、ユーザＵ自身が眠くなりやすい環境になることを自覚しやすくなる。
【０１２８】
また、覚醒誘導システム２００が異なる覚醒誘導方法の覚醒誘導部３００を複数備える場合、制御部１２０は、運転手であるユーザＵの属性に応じて、複数の覚醒誘導部３００の中から駆動させる１又は複数の覚醒誘導部３００を選択して、選択した覚醒誘導部３００を駆動させてもよい。
【０１２９】
例えば、ユーザＵの属性は、ユーザＵの年齢、性別、体格等の情報である。制御部１２０がユーザＵの属性を推定する方法は、特に限定されない。例えば、制御部１２０は、撮像部４００で撮像された画像からユーザＵの属性を推定してもよい。
【０１３０】
また、例えば、覚醒誘導制御装置１００がユーザＵの属性を取得するためのインターフェース（不図示）を備えてもよい。この場合、例えばユーザＵは、ユーザＵが所持するスマートフォン等の情報端末と当該インターフェースとを接続させる。ユーザＵは、情報端末を操作して、ユーザＵの属性を覚醒誘導制御装置１００へ送信する。制御部１２０は、ユーザＵの属性を、当該インターフェースを介して情報端末から取得してもよい。この際に、ユーザＵは、ユーザＵが所望する、温度、音楽、香りなどの情報を属性として入力してもよい。
【０１３１】
なお、ユーザＵの属性には、ユーザＵ個人を特定するための情報が含まれてもよい。具体的には、制御部１２０は、ユーザＵが所持するスマートフォン等の情報端末から、ユーザＵを特定するための情報を取得してもよい。例えば、制御部１２０は、当該情報端末から運転手であるユーザＵを特定するための情報を取得することでユーザＵを特定し、特定したユーザＵに応じて駆動させる覚醒誘導部３００を選択してもよい。
【０１３２】
このように、制御部１２０は、推定した、および／または、取得したユーザＵの属性から、駆動させる覚醒誘導部３００を選択してもよい。
【０１３３】
こうすることで、制御部１２０は、ユーザＵに対してより覚醒誘導効果の高いと推定される覚醒誘導部３００を駆動させることができる。そのため、覚醒誘導制御装置１００は、効果的にユーザの覚醒を誘導させることができる。
【０１３４】
なお、インターフェースは、情報端末と有線で接続するためのインターフェースでもよいし、無線で接続するための通信インターフェースでもよい。
【０１３５】
以上、図９Ａおよび図９Ｂに示されるように、覚醒誘導制御装置１００が車両６００に設置される場合には、制御部１２０は、ユーザＵの運転時間に応じて所定時間を決定してもよい。また、この場合に、制御部１２０は、ユーザＵの１日の総運転時間に応じて所定時間を決定してもよい。こうすることで、ユーザＵの覚醒誘導部３００の覚醒誘導方法に対する慣れをより生じさせにくくできる。そのため、このような構成によれば、ユーザＵへの覚醒誘導効果の低下がより抑制される。これらのように、制御部１２０は、覚醒誘導システム２００が使用されるシーンに応じて、覚醒誘導部３００における駆動開始から停止までの所定時間が決定してもよい。
【０１３６】
ところで、上述したように、覚醒誘導制御装置１００は、ユーザＵの覚醒を誘導する覚醒誘導方法の異なる複数の覚醒誘導部３００と接続されていてもよい。言い換えると、覚醒誘導システム２００は、ユーザＵの覚醒を誘導する覚醒誘導方法の異なる複数の覚醒誘導部３００を備えてもよい。
【０１３７】
以下、覚醒誘導システム２００がユーザＵの覚醒を誘導する覚醒誘導方法の異なる複数の覚醒誘導部３００を備える場合について説明する。なお、覚醒誘導システム２００は、覚醒誘導部３００の一例である第１覚醒誘導部３００ａと、第１覚醒誘導部３００ａとは覚醒誘導方法の異なる第２覚醒誘導部３００ｂとを備えているものとして説明する。
【０１３８】
図１０は、実施の形態に係る覚醒誘導制御装置１００が複数の覚醒誘導部３００を駆動させる場合のそれぞれの覚醒誘導部３００を停止する手順を示すフローチャートである。なお、以下で説明する第１所定時間は、第２所定時間よりも短いとする。
【０１３９】
まず、眠気検出部１１０および制御部１２０は、図４に示すステップＳ１０１およびステップＳ１０２と同様の動作を実行する。
【０１４０】
次に、制御部１２０は、眠気レベルを基準値以上であると判定した場合（ステップＳ１０２でＹｅｓ）、第１覚醒誘導部３００ａおよび第２覚醒誘導部３００ｂを駆動させる（ステップＳ１０３ａ）。
【０１４１】
例えば、第１覚醒誘導部３００ａに対して、制御部１２０は、ステップＳ１０３ａの次に、第１所定時間が経過したか否かを判定する（ステップＳ１０４ａ）。制御部１２０は、第１所定時間が経過していないと判定した場合（ステップＳ１０４ａでＮｏ）、ステップＳ１０４ａの動作を実行し続ける。また、制御部１２０は、第１所定時間が経過したと判定した場合（ステップＳ１０４ａでＹｅｓ）、覚醒誘導部３００ａを停止させる（ステップＳ１０５ａ）。
【０１４２】
また、制御部１２０は、第２所定時間が経過したか否かを判定する（ステップＳ１０４ｂ）。制御部１２０は、第２所定時間が経過していないと判定した場合（ステップＳ１０４ｂでＮｏ）、ステップＳ１０４ｂの動作を実行し続ける。また、制御部１２０は、第２所定時間が経過したと判定した場合（ステップＳ１０４ｂでＹｅｓ）、覚醒誘導部３００ｂを停止させる（ステップＳ１０５ｂ）。
【０１４３】
このように、覚醒誘導制御装置１００が複数の覚醒誘導部３００と接続されている場合、それぞれの覚醒誘導部３００に応じた所定時間（上記の第１所定時間および第２所定時間）で覚醒誘導部３００を停止させてもよい。具体的には、制御部１２０は、複数の覚醒誘導部３００を駆動してから、複数の覚醒誘導部３００ごとに設定された異なる所定時間が経過したときに、複数の覚醒誘導部３００ごとに停止させてもよい。これにより、覚醒誘導制御装置１００は、覚醒誘導方法に応じて、ユーザＵに慣れをより生じさせにくくできる。そのため、このような構成によれば、ユーザＵへの覚醒誘導効果の低下がより抑制される。
【０１４４】
なお、制御部１２０は、それぞれの覚醒誘導部３００を同時に駆動させてもよいし、それぞれの覚醒誘導部３００に応じたタイミングで覚醒誘導部を駆動させてもよい。
【０１４５】
また、制御部１２０は、駆動させる覚醒誘導部３００を、ランダムに選択してもよい。言い換えると、制御部１２０は、複数の覚醒誘導部３００から１または複数をランダムに選択して、選択した覚醒誘導部３００を駆動させてもよい。
【０１４６】
このような構成によれば、複数の覚醒誘導部３００のうち、同じ覚醒誘導部３００が連続して駆動されることが抑制されやすくなる。そのため、ユーザＵは、覚醒誘導部３００ごとの覚醒誘導方法に対して慣れにくくなる。つまり、このような構成によれば、ユーザＵへの覚醒誘導効果の低下がより抑制される。
【０１４７】
図１１は、実施の形態に係る覚醒誘導制御装置１００が複数の覚醒誘導部３００を異なるタイミングで駆動させる手順を示すフローチャートである。
【０１４８】
まず、眠気検出部１１０および制御部１２０は、図４に示すステップＳ１０１およびステップＳ１０２と同様の動作を実行する。
【０１４９】
次に、制御部１２０は、眠気レベルを基準値以上であると判定した場合（ステップＳ１０２でＹｅｓ）、第１覚醒誘導部３００ａを駆動させる（ステップＳ６０１）。
【０１５０】
次に、制御部１２０は、第１所定時間が経過したか否かを判定する（ステップＳ６０２）。制御部１２０は、第１所定時間が経過していないと判定した場合（ステップＳ６０２でＮｏ）、ステップＳ６０２の動作を実行し続ける。また、制御部１２０は、第１所定時間が経過したと判定した場合（ステップＳ６０２でＹｅｓ）、覚醒誘導部３００ａを停止させる（ステップＳ６０３）。
【０１５１】
次に、制御部１２０は、第２覚醒誘導部３００ｂを駆動させる（ステップＳ６０４）。
【０１５２】
次に、制御部１２０は、第２所定時間が経過したか否かを判定する（ステップＳ６０５）。制御部１２０は、第２所定時間が経過していないと判定した場合（ステップＳ６０５でＮｏ）、ステップＳ６０５の動作を実行し続ける。また、制御部１２０は、第２所定時間が経過したと判定した場合（ステップＳ６０５でＹｅｓ）、覚醒誘導部３００ｂを停止させる（ステップＳ６０６）。
【０１５３】
なお、制御部１２０は、ステップＳ６０３の次に、すぐにステップＳ６０４に示す動作を実行しなくてもよい。つまり、制御部１２０は、ステップＳ６０３の次に、インターバルを設けてステップＳ６０４に示す動作を実行してもよい。
【０１５４】
このように、制御部１２０は、複数の覚醒誘導部３００を覚醒誘導部３００ごとに順番に駆動させてもよい。具体的には、制御部１２０は、複数の覚醒誘導部３００の中から、複数の覚醒誘導部３００の内の１以上の覚醒誘導部３００を選択して駆動させてもよい。さらに、制御部１２０は、複数の覚醒誘導部３００のそれぞれごとに設定された異なる所定時間が経過したときに、１以上の覚醒誘導部３００を、覚醒誘導部３００のそれぞれごとに停止させてもよい。さらに、制御部１２０は、停止させた１以上の覚醒誘導部３００とは異なる覚醒誘導部３００の内の１以上の覚醒誘導部３００を駆動させてもよい。こうすることで、複数の覚醒誘導部３００の内の同じ覚醒誘導部３００が、連続して駆動されることを抑制できる。これにより、複数の覚醒誘導部３００は、それぞれの駆動回数が偏ることなく駆動され得る。そのため、ユーザＵは、覚醒誘導部３００のそれぞれごとの覚醒誘導方法に対して慣れをより生じにくくなる。つまり、このような構成によれば、ユーザへの覚醒誘導効果の低下は、より抑制される。
【０１５５】
なお、制御部１２０は、ステップＳ６０３の次に、眠気検出部１１０が検出したユーザＵの眠気レベルを判定して、当該眠気レベルが所定の基準を満たす場合に、ステップＳ６０４の動作を実行してもよい。
【０１５６】
図１２は、実施の形態に係る覚醒誘導制御装置１００を使用した場合の時間に対する眠気レベルの変化の別の一例を示す図である。なお、図１２は、図１１に示すフローチャートで覚醒誘導システム２００を動作させて場合における、ユーザＵの眠気レベルの変化の一例を示すグラフである。また、図１２に示すグラフの横軸は時間であり、縦軸はユーザＵの眠気レベルを示す。
【０１５７】
図１２に示されるように、時間が経過するにしたがって、ユーザＵの眠気レベルは上昇する。時刻ｔ９において、ユーザＵの眠気レベルが３に到達したとする。ここで、制御部１２０は、覚醒誘導部３００ａを駆動させる。さらに時間経過に伴い、ユーザＵの眠気レベルは徐々に低下する。時刻ｔ１０において、制御部１２０は、覚醒誘導部３００ａを停止させる。つまり、図１２において、第１所定時間は時刻ｔ９から時刻ｔ１０までの時間である。
【０１５８】
次に、制御部１２０は、時刻ｔ１０から時刻ｔ１１までの時間インターバルを設けて、時刻ｔ１１に、覚醒誘導部３００ｂを駆動させる。さらに時間経過に伴い、ユーザＵの眠気レベルは徐々に低下する。時刻ｔ１２において、制御部１２０は、覚醒誘導部３００ｂを停止させる。つまり、図１２において、第２所定時間は時刻ｔ１１から時刻ｔ１２までの時間である。
【０１５９】
図１３は、実施の形態に係る覚醒誘導制御装置１００が駆動させる覚醒誘導部３００を選択する手順の第一例を示すフローチャートである。
【０１６０】
まず、眠気検出部１１０および制御部１２０は、図４に示すステップＳ１０１およびステップＳ１０２と同様の動作を実行する。
【０１６１】
次に、制御部１２０は、現在時刻を取得する（ステップＳ７０１）。制御部１２０が現在時刻を取得する方法は、特に限定されない。例えば、制御部１２０は、覚醒誘導制御装置１００がＲＴＣなどの計時部を備える場合はＲＴＣから現在時刻を取得してもよい。
【０１６２】
次に、制御部１２０は、現在時刻に応じた覚醒誘導部３００を選択する（ステップＳ７０２）。制御部１２０が現在時刻に応じた覚醒誘導部３００を選択する基準は、特に限定されるものではない。例えば、昼前では、制御部１２０は、ユーザＵの食欲を刺激するような香りを発する覚醒誘導部３００を優先的に選択してもよい。また、例えば、午後では、音楽などの音を発する覚醒誘導部３００を優先的に選択してもよい。また、例えば、夜間では、制御部１２０は、光を発する覚醒誘導部３００以外の覚醒誘導部３００を優先的に選択してもよい。
【０１６３】
次に、制御部１２０は、選択した覚醒誘導部３００を駆動させる（ステップＳ７０３）。
【０１６４】
このように、制御部１２０は、複数の覚醒誘導部３００の中の１以上の覚醒誘導部３００を現在時刻に応じて選択して駆動させてもよい。これにより、現在時刻により、ユーザＵが覚醒誘導制御装置１００を使用すると推定される環境に応じて、覚醒誘導部３００が駆動される。そのため、このような構成によれば、ユーザＵへの覚醒誘導効果を高めることができる。
【０１６５】
図１４は、実施の形態に係る覚醒誘導制御装置１００が駆動させる覚醒誘導部３００を選択する手順の第二例を示すフローチャートである。
【０１６６】
まず、眠気検出部１１０および制御部１２０は、図４に示すステップＳ１０１およびステップＳ１０２と同様の動作を実行する。
【０１６７】
次に、制御部１２０は、現在の季節を取得する（ステップＳ８０１）。制御部１２０が季節を取得する方法は、特に限定されない。例えば、制御部１２０は、例えば、覚醒誘導制御装置１００がユーザＵからの指示を取得するタッチパネルなどのユーザインターフェースと接続されるインターフェースである取得部（不図示）を備えてもよい。この場合に、制御部１２０は、当該取得部を介してユーザＵから季節を示す情報を取得してもよい。また、例えば、覚醒誘導制御装置１００がインターネットなどの外部ネットワークと接続される通信インターフェース（不図示）を備える場合、制御部１２０は、通信インターフェースを介して外部ネットワークから季節の情報を取得してもよい。
【０１６８】
次に、制御部１２０は、現在の季節に応じた覚醒誘導部３００を選択する（ステップＳ８０２）。制御部１２０が季節に応じた覚醒誘導部３００を選択する基準は、特に限定されるものではない。
【０１６９】
例えば、夏および冬では、空調機器を用いて室内の気温を制御している場合が多いと考えられる。そのために、制御部１２０は、温度が変更されやすいＣＯ２濃度を下げるための換気を実行する覚醒誘導部３００以外の覚醒誘導部３００を優先的に駆動させてもよい。一方、春および秋では、換気を実行する覚醒誘導部３００を優先的に駆動させてもよい。こうすることで、覚醒誘導制御装置１００は、ユーザＵの覚醒を誘導し、且つ覚醒誘導部３００の電力などのエネルギー使用量を低減させることができる。
【０１７０】
次に、制御部１２０は、選択した覚醒誘導部３００を駆動させる（ステップＳ８０３）。
【０１７１】
このように、制御部１２０は、複数の覚醒誘導部３００の中の１以上の覚醒誘導部３００を季節に応じて選択して駆動させてもよい。これにより、季節に応じた、エネルギー効率よく、且つユーザＵの覚醒を誘導できる覚醒誘導部３００が駆動される。そのため、このような構成によれば、ユーザＵへの覚醒誘導効果を高めることができる。
【０１７２】
図１５は、実施の形態に係る覚醒誘導制御装置１００が駆動させる覚醒誘導部３００を選択する手順の第三例を示すフローチャートである。
【０１７３】
まず、眠気検出部１１０および制御部１２０は、図４に示すステップＳ１０１およびステップＳ１０２と同様の動作を実行する。
【０１７４】
次に、制御部１２０は、眠気レベルの低下量が最も大きい覚醒誘導部３００を選択する（ステップＳ９０１）。
【０１７５】
ここで、記憶部１４０は、覚醒誘導部３００ごとに、所定時間に対するユーザＵの眠気レベルの低下量を記憶している。例えば、記憶部１４０は、図５Ａに示す時刻ｔ１から時刻ｔ２までの時間に対する眠気レベルの低下量を、覚醒誘導部３００ごとに記憶している。制御部１２０は、記憶部１４０に記憶された所定時間に対するユーザＵの眠気レベルの低下量が最も大きい覚醒誘導部３００を選択する。言い換えると、制御部１２０は、記憶部１４０に記憶された所定時間に対するユーザＵの眠気レベルの変化量が、ユーザＵを覚醒する向きに最も大きい覚醒誘導部３００を選択する。
【０１７６】
次に、制御部１２０は、選択した覚醒誘導部３００を駆動させる（ステップＳ９０２）。
【０１７７】
このように、覚醒誘導制御装置１００は、覚醒誘導部３００ごとに、所定時間に対するユーザＵの眠気レベルの、ユーザＵを覚醒させる方向への変化量を記憶した記憶部１４０を備えてもよい。つまり、覚醒誘導制御装置１００は、覚醒誘導部３００のそれぞれごとに、所定時間に対するユーザＵの眠気レベルの低下量を記憶した記憶部１４０を備えてもよい。この場合に、制御部１２０は、記憶部１４０に記憶された所定時間に対するユーザＵの眠気レベルの変化量が最も大きい覚醒誘導部３００を含む１以上の覚醒誘導部３００を駆動させてもよい。こうすることで、ユーザＵの特性に応じて、効果的にユーザＵの覚醒を誘導することができる。
【０１７８】
なお、制御部１２０は、記憶部１４０に記憶されている、覚醒誘導部３００のそれぞれごとに、所定時間に対するユーザＵの眠気レベルの低下量を、覚醒誘導部３００を使用するごとに更新してもよい。こうすることで、制御部１２０は、現在のユーザＵの状態に適した覚醒誘導方法を実行する覚醒誘導部３００を駆動させることができる。
【０１７９】
（他の実施の形態）
以上、本開示に係る覚醒誘導制御装置および覚醒誘導システムについて、実施の形態および変形例に基づいて説明したが、本開示は、上記の実施の形態および変形例に限定されるものではない。例えば、各実施の形態および変形例に対して当業者が思いつく各種変形を施して得られる形態や、本開示の趣旨を逸脱しない範囲で各実施の形態および変形例における構成要素および機能を任意に組み合わせることで実現される形態も本開示に含まれる。
【０１８０】
例えば、上記実施の形態では、覚醒誘導制御装置１００および覚醒誘導システム２００は、車両６００に搭載された。しかしながら、覚醒誘導制御装置１００および覚醒誘導システム２００が使用される環境は、車両に限定されない。例えば、覚醒誘導制御装置１００および覚醒誘導システム２００は、オフィスなどの室内に適用されてもよい。
【０１８１】
図１６は、実施の形態に係る覚醒誘導制御装置１００を含むシステムの別の一例を説明するための図である。
【０１８２】
図１６に示されるように、覚醒誘導制御装置１００は室内７００に配置されている。また、覚醒誘導制御装置１００は、覚醒誘導方法の異なる複数の覚醒誘導部３００ｅ〜３００ｉと、配線（不図示）などにより接続されている。また、覚醒誘導制御装置１００は、１又は複数のセンサ８００ａ〜８００ｃと配線（不図示）などにより接続されている。以下、覚醒誘導部３００ｅ〜３００ｉをまとめて覚醒誘導部３００として説明する。
【０１８３】
センサ８００ａ〜８００ｃは、ユーザＵがいる室内７００の温度、光量などの環境の情報を示す環境情報をセンシングするセンサである。
【０１８４】
例えば、覚醒誘導制御装置１００は、センサ８００ａ〜８００ｃがセンシングした室内７００の環境情報を取得する取得部（不図示）を備えてもよい。この場合に、制御部１２０は、センサ８００ａ〜８００ｃがセンシングした環境情報に基づいて、覚醒誘導部３００の駆動を制御してもよい。
【０１８５】
また、例えば、制御部１２０が覚醒誘導部３００を駆動させる眠気レベルの基準値の他に、制御部１２０が覚醒誘導部３００を停止させる眠気レベルの基準値である停止基準値が定められていてもよい。制御部１２０は、覚醒誘導部３００を駆動させてから、所定時間が経過する前に、ユーザの眠気レベルが当該停止基準値に到達した場合、覚醒誘導部３００を停止させてもよい。
【０１８６】
また、覚醒誘導システム２００が複数の覚醒誘導部３００を備える場合に、制御部１２０は、１又は複数の覚醒誘導部３００を駆動させてもユーザＵの眠気レベルが低下しなかった時には、さらに別の１又は複数の覚醒誘導部３００を駆動させてもよい。
【０１８７】
また、例えば、本開示は、覚醒誘導制御装置として実現できるだけでなく、覚醒誘導制御装置の各構成要素が行う処理をステップとして含むプログラム、および、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。プログラムは、記録媒体に予め記録されていてもよく、あるいは、インターネットなどを含む広域通信網を介して記録媒体に供給されてもよい。
【０１８８】
つまり、上述した包括的または具体的な態様は、システム、装置、集積回路、コンピュータプログラム又はコンピュータ読み取り可能な記録媒体で実現されてもよく、システム、装置、集積回路、コンピュータプログラムおよび記録媒体の任意な組み合わせで実現されてもよい。
【産業上の利用可能性】
【０１８９】
本開示は、慣れを生じさせにくくして、覚醒誘導効果の低下を抑制することが可能な覚醒誘導制御装置および覚醒誘導システムとして利用でき、例えば、車両、オフィスなどに配置され、空調、音響装置等を駆動して人の覚醒を誘導する装置など利用される。
【符号の説明】
【０１９０】
１００  覚醒誘導制御装置
１１０  眠気検出部
１２０  制御部
１３０  出力部
１４０  記憶部
２００  覚醒誘導システム
３００、３００ｃ〜３００ｉ  覚醒誘導部
３００ａ  第１覚醒誘導部（覚醒誘導部）
３００ｂ  第２覚醒誘導部（覚醒誘導部）
４００  撮像部
５００  表示部
５１０、５１１  画像
６００  車両
７００  室内
８００ａ〜８００ｃ  センサ
Ｕ  ユーザ
【図１】
2020115902.tif 000003
【図２】
2020115902.tif 000004
【図３】
2020115902.tif 000005
【図４】
2020115902.tif 000006
【図５Ａ】
2020115902.tif 000007
【図５Ｂ】
2020115902.tif 000008
【図６Ａ】
2020115902.tif 000009
【図６Ｂ】
2020115902.tif 000010
【図７】
2020115902.tif 000011
【図８】
2020115902.tif 000012
【図９Ａ】
2020115902.tif 000013
【図９Ｂ】
2020115902.tif 000014
【図１０】
2020115902.tif 000015
【図１１】
2020115902.tif 000016
【図１２】
2020115902.tif 000017
【図１３】
2020115902.tif 000018
【図１４】
2020115902.tif 000019
【図１５】
2020115902.tif 000020
【図１６】
2020115902.tif 000021